(57)【要約】【課題】貯蔵室を高湿に保つことで食品の鮮度維持を図り、且つ排水パイプを通した暖気の冷却器室への流入を抑制する。【解決手段】冷凍室と該冷凍室の下方に設けられた野菜室と、前記冷凍室の後方に冷却器を備える冷却器室と、前記野菜室の後方に圧縮機を備える機械室と、該機械室内に設けられ前記冷却器の除霜水を受ける露受け皿と、を有する冷蔵庫において、該冷却器室の下部に設けられ前記冷却器の除霜水を受ける桶と、該桶と前記野菜室を連通して前記除霜水を排水する排水パイプと、該排水パイプの下方且つ前記野菜室内に設けられ前記排水パイプからの除霜水を受ける第二の桶と、該第二の桶と前記機械室を連通して前記露受け皿に排水する第二の排水パイプと、前記第二の桶の上方且つ前記排水パイプの下方に設けられ前記第二の排水パイプからの暖気があたり結露が促進される結露板と、を有することを特徴とする。【選択図】  図２
2011007402.tif 000002
【特許請求の範囲】
【請求項１】
冷凍室と該冷凍室の下方に設けられた野菜室と、前記冷凍室の後方に冷却器を備える冷却器室と、前記野菜室の後方に圧縮機を備える機械室と、該機械室内に設けられ前記冷却器の除霜水を受ける露受け皿と、を有する冷蔵庫において、
該冷却器室の下部に設けられ前記冷却器の除霜水を受ける桶と、
該桶と前記野菜室を連通して前記除霜水を排水する排水パイプと、
該排水パイプの下方且つ前記野菜室内に設けられ前記排水パイプからの除霜水を受ける第二の桶と、
該第二の桶と前記機械室を連通して前記露受け皿に排水する第二の排水パイプと、
前記第二の桶の上方且つ前記排水パイプの下方に設けられ前記第二の排水パイプからの暖気があたり結露が促進される結露板と、
を有することを特徴とする冷蔵庫。
【請求項２】
冷凍室と該冷凍室の下方に設けられた野菜室と、前記冷凍室の後方に冷却器を備える冷却器室と、前記野菜室の後方に圧縮機を備える機械室と、該機械室内に設けられ前記冷却器の除霜水を受ける露受け皿と、を有する冷蔵庫において、
該冷却器室の下部に設けられ前記冷却器の除霜水を受ける桶と、
該桶と前記野菜室を連通して前記除霜水を排水する排水パイプと、
該排水パイプの下方且つ前記野菜室内に設けられ前記排水パイプからの除霜水を受ける第二の桶と、
該第二の桶と前記機械室を連通して前記露受け皿に排水する第二の排水パイプと、
前記排水パイプと前記第二の排水パイプの間であって、且つ前記機械室から前記冷却器室への暖気の流入を阻止する位置に設けられた結露板と、
を有することを特徴とする冷蔵庫。
【請求項３】
請求項１又は２において、前記野菜室へ吹き出す冷気が前記結露板にあたる位置に野菜室吹出口を設けたことを特徴とする冷蔵庫。
【請求項４】
冷凍室と該冷凍室の下方に設けられた野菜室と、前記冷凍室の後方に冷却器を備える冷却器室と、前記野菜室の後方に圧縮機を備える機械室と、該機械室内に設けられ前記冷却器の除霜水を受ける露受け皿と、を有する冷蔵庫において、
該冷却器室の下部に設けられ前記冷却器の除霜水を受ける桶と、
該桶と前記野菜室を連通して前記除霜水を排水する排水パイプと、
該排水パイプの下方且つ前記野菜室内に設けられ前記排水パイプからの除霜水を受ける第二の桶と、
該第二の桶と前記機械室を連通して前記露受け皿に排水する第二の排水パイプと、
前記排水パイプの前記桶側端部に設けられた金属製の冷却部材と、
を有することを特徴とする冷蔵庫。
【請求項５】
請求項１乃至４のいずれかにおいて、前記排水パイプの前記野菜室側への突出部に断熱材を設けたことを特徴とする冷蔵庫。
【発明の詳細な説明】
【技術分野】
【０００１】
本発明は、冷蔵庫に関する。
【背景技術】
【０００２】
従来、冷却器に付着した霜の除霜水を庫外に排水するために、冷却器室と庫外とを連通する排水パイプを備え、該排水パイプを介して、庫外の暖気が冷却器室に入ることを抑制する構造が知られている。
【０００３】
特許文献１には、冷却器の除霜水を露受皿に導くドレンパイプを設け、該ドレンパイプの下端と受皿とから構成したエアトラップを備えた構成が記載されている。
【０００４】
特許文献２には、配水管の下端部に合成樹脂製の排水弁が回動可能に装着された構成が記載されている。
【０００５】
特許文献３には、除霜水をドレンホースによって野菜室の奥側面に設けられた貯水手段（親水性多孔質樹脂部材）へ導く構成が記載されている。
【先行技術文献】
【特許文献】
【０００６】
【特許文献１】実開昭５５−１４３４８３号公報
【特許文献２】特許第３５９８２３４号公報
【特許文献３】特開平４−３５３３７９号公報
【発明の概要】
【発明が解決しようとする課題】
【０００７】
特許文献１及び２に記載の構成では、庫外の暖気が冷却器室に流入することを抑制し、冷却効率の低下を防ぐことができる。特許文献３に記載の構成は、野菜室を高湿に保つことができる。
【０００８】
しかしながら、特許文献１に記載の構成では、受皿内に貯留した除霜水が凍結する、という課題があった。すなわち、ドレンパイプは冷却器室に連通しており、冷却器室側からの冷気がドレンパイプを通って受皿に至ることで、該受皿内の除霜水を冷却し、凍結に至らしめるおそれがある。すると、除霜水は受皿に滴下されず、ドレンパイプ内に滞留し、やがて冷却器室内や貯蔵室内に溢れるおそれがある、という課題があった。
【０００９】
また、特許文献２に記載の構成において、合成樹脂製からなる排水弁は、水分に接触しており、冷却器室の低温と庫外の高温との著しい温度差の環境下に晒される。そのため、実使用状態で長期間経過後、開閉弁が劣化し、次第にドレンパイプ下端を閉じる機能が低下する。すると、庫外の暖気が冷却器室に流入することを抑制する、という効果を奏することができなくなる、という課題があった。
【００１０】
また、特許文献３に記載の構成では、常に貯水手段に水分が含有するため、菌が繁殖するおそれがあり、衛生面の課題があった。
【００１１】
本発明は、上記課題を解決するためになされたものである。本発明の目的は、貯蔵室を高湿に保つことで食品の鮮度維持を図り、且つ排水パイプを通した暖気の冷却器室への流入を抑制する冷蔵庫を得ることである。
【課題を解決するための手段】
【００１２】
上記課題を解決するために、本発明は、冷凍室と該冷凍室の下方に設けられた野菜室と、前記冷凍室の後方に冷却器を備える冷却器室と、前記野菜室の後方に圧縮機を備える機械室と、該機械室内に設けられ前記冷却器の除霜水を受ける露受け皿と、を有する冷蔵庫において、該冷却器室の下部に設けられ前記冷却器の除霜水を受ける桶と、該桶と前記野菜室を連通して前記除霜水を排水する排水パイプと、該排水パイプの下方且つ前記野菜室内に設けられ前記排水パイプからの除霜水を受ける第二の桶と、該第二の桶と前記機械室を連通して前記露受け皿に排水する第二の排水パイプと、前記第二の桶の上方且つ前記排水パイプの下方に設けられ前記第二の排水パイプからの暖気があたり結露が促進される結露板と、を有することを特徴とする。
【００１３】
また、冷凍室と該冷凍室の下方に設けられた野菜室と、前記冷凍室の後方に冷却器を備える冷却器室と、前記野菜室の後方に圧縮機を備える機械室と、該機械室内に設けられ前記冷却器の除霜水を受ける露受け皿と、を有する冷蔵庫において、該冷却器室の下部に設けられ前記冷却器の除霜水を受ける桶と、該桶と前記野菜室を連通して前記除霜水を排水する排水パイプと、該排水パイプの下方且つ前記野菜室内に設けられ前記排水パイプからの除霜水を受ける第二の桶と、該第二の桶と前記機械室を連通して前記露受け皿に排水する第二の排水パイプと、前記排水パイプと前記第二の排水パイプの間であって、且つ前記機械室から前記冷却器室への暖気の流入を阻止する位置に設けられた結露板と、を有することを特徴とする。
【００１４】
また、前記野菜室へ吹き出す冷気が前記結露板にあたる位置に野菜室吹出口を設けたことを特徴とする。
【００１５】
また、冷凍室と該冷凍室の下方に設けられた野菜室と、前記冷凍室の後方に冷却器を備える冷却器室と、前記野菜室の後方に圧縮機を備える機械室と、該機械室内に設けられ前記冷却器の除霜水を受ける露受け皿と、を有する冷蔵庫において、該冷却器室の下部に設けられ前記冷却器の除霜水を受ける桶と、該桶と前記野菜室を連通して前記除霜水を排水する排水パイプと、該排水パイプの下方且つ前記野菜室内に設けられ前記排水パイプからの除霜水を受ける第二の桶と、該第二の桶と前記機械室を連通して前記露受け皿に排水する第二の排水パイプと、前記排水パイプの前記桶側端部に設けられた金属製の冷却部材と、を有することを特徴とする。
【００１６】
また、前記排水パイプの前記野菜室側への突出部に断熱材を設けたことを特徴とする。
【発明の効果】
【００１７】
本発明は、貯蔵室を高湿に保つことで食品の鮮度維持を図り、且つ排水パイプを通した暖気の冷却器室への流入を抑制する冷蔵庫を得ることができる。
【図面の簡単な説明】
【００１８】
【図１】本発明に係る第一の実施の形態における冷蔵庫の正面図である。
【図２】図１における冷蔵庫の縦断面図である。
【図３】図２における冷蔵庫の要部拡大図である。
【図４】本発明に係る実施の形態における冷蔵庫の運転制御と温度変化の関係図である。
【図５】本発明に係る第二の実施の形態における冷蔵庫の要部拡大図である。
【図６】図５における冷蔵庫の要部拡大図である。
【発明を実施するための形態】
【００１９】
以下、本発明の実施の形態について、図面を参照しながら説明する。
【実施例１】
【００２０】
図１は、本発明に係る実施の形態における冷蔵庫の正面図である。図２は、図１における冷蔵庫の縦断面図である。図３は、図２における冷蔵庫の要部拡大図である。図４は、本発明に係る実施の形態における冷蔵庫の運転制御と温度変化の関係図である。
【００２１】
まず、図１，図２において、１は冷蔵庫本体である。冷蔵庫本体１は、上から冷蔵室２，製氷室３ａ及び上段冷凍室３ｂ，冷凍室３，野菜室４等を有している。
【００２２】
また、５は冷蔵室扉、６ａは製氷室扉、６ｂは上段冷凍室扉、６は冷凍室扉、７は野菜室扉を夫々示している。製氷室扉６ａ，上段冷凍室扉６ｂ，冷凍室扉６及び野菜室扉７は、前後に移動することで各貯蔵室を開閉するように構成された、いわゆる引き出し式の扉である。
【００２３】
８は、冷蔵庫本体１の下部に形成された機械室である。９は、機械室８内に設けられた圧縮機である。１０は、後述する冷却器１４に付着した霜を溶かした際に発生する除霜水を受ける露受け皿である。露受け皿１０は、図２に示すように機械室８内に設けられている。
【００２４】
１１は、冷蔵室２と冷凍室３との間を断熱的に区画する仕切り壁である。１２は、野菜室４と冷凍室３との間を断熱的に区画する仕切り壁である。
【００２５】
冷却器１４は、冷凍室３の後方に設けられた冷却器室１３内に設けられている。１５は、冷却器室１３内に設けられた冷気循環ファンである。冷気循環ファン１５は、冷却器１４で冷却された冷気を冷凍室３，冷蔵室２及び野菜室４等に冷気循環させる。各貯蔵室への循環冷気量は、後述する冷凍室ダンパ２９及び冷蔵室ダンパ２８による流量制御に基づき行われる。
【００２６】
１６は、除霜用ヒータである。除霜用ヒータ１６は、図示しないタイマ，温度調節器等を有し、所定時間経過後、除霜用ヒータ１６が通電されて、冷却器１４に付いた霜を融解する。
【００２７】
１７は、上記除霜水を受ける樋である。１８は、一端が桶１７側に、他端（先端部１８ａ）が野菜室４に開口した排水パイプである。すなわち、排水パイプ１８は、仕切り壁１２を貫通し、先端部１８ａが野菜室４側に開放していることから、樋１７で受けた除霜水は、排水パイプ１８により野菜室４側に滴下する。
【００２８】
１９は、野菜室４に設けられた第二の樋である。第二の樋１９は、排水パイプ１８の先端部１８ａの下方に対向するよう設けられている。２０は、第二の樋１９が受けた除霜水を露受け皿１０に導く第二の排水パイプである。
【００２９】
排水パイプ１８及び第二の排水パイプ２０は、樹脂製であり、一例として内径は１０mmから１５mmである。
【００３０】
冷却器１４から滴下した除霜水は、樋１７に集まり、排水パイプ１８を通って先端部１８ａから第二の樋１９に至る。そして、第二の桶１９の除霜水は、第二の排水パイプ２０に導かれ、露受け皿１０に至る。第二の樋１９及び第二の排水パイプ２０は、比較的高温の野菜室４（一例として、３℃乃至５℃）に設けられており、野菜室４で除霜水が凍結するおそれは少ない。
【００３１】
冷凍室吹出口２１から冷凍室３に吹き出された冷気は、冷凍室３内の食品等を冷却した後、冷凍室戻り口２２より冷却器室１３の下部に吸い込まれる。
【００３２】
一方、冷蔵室吹出口２３から冷蔵室２の吹き出された冷気は、冷蔵室２内の食品等を冷却した後、冷蔵室戻り口２４から野菜室吹出口２５につながる風路に流入する。
【００３３】
野菜室吹出口２５から野菜室４に吹き出された冷気は、野菜室４内の食品を冷却した後、仕切り壁１２に形成された野菜室戻り口２６を経て、冷却器室１３下部に戻る。
【００３４】
２７は、排水パイプ１８の先端部１８ａの下方であって、且つ第二の樋１９よりも上方に設けられた結露板である。結露板２７によって、機械室８からの暖気が排水パイプ１８を通して冷却器室１３に入るのを抑制し、冷却器室１３の温度上昇を抑制することができる。また、機械室８から塵埃等が排水パイプ１８を通って冷却器室１３内に流入することを抑制できる。
【００３５】
すなわち、結露板２７は、第二の排水パイプ２０を上昇してくる暖気等が排水パイプ１８の先端部１８ａより直進して吸い込まれるのを防止するよう設けられている。
【００３６】
冷気循環ファン１５が運転すると、冷却器１４で熱交換した冷気が、冷却器室１３内から汲み出されて、冷却器室１３は負圧となる。この気圧差に起因して、機械室８内の暖気が排水パイプ１８，第二の排水パイプ２０を通して冷却器室１３側に流れ込みやすくなる。なお、この暖気中には露受け皿１０内で蒸発した除霜水の蒸気も含まれる。本実施の形態では、この蒸気を野菜室４の結露板２７に衝突させて、野菜室４内の高湿化に利用するものである。
【００３７】
図２に示す如く、冷却器１４で熱交換した冷気は、冷気循環ファン１５をもって冷蔵室２及び冷凍室３等に供給される。また、冷蔵室ダンパ２８及び冷凍室ダンパ２９を有しており、夫々の開度を調整することにより、冷蔵室２及び冷凍室３への冷気供給量を制御する。また、冷蔵室ダンパ２８より冷蔵室２に吹き出された冷気は、冷蔵室２を冷却後、図示しないダクトを経由して野菜室４に供給される。
【００３８】
ここで、野菜室４に収納する野菜等の鮮度食品の鮮度を長期維持するために、野菜室４を高湿化させることは重要である。
【００３９】
そこで、本実施の形態において、野菜室４に吹き出された冷気は、野菜室４の冷気循環経路の途中に位置する結露板２７を通過した後、野菜室４内を循環して、野菜室戻り口２６を経て冷却器室１３に戻される。
【００４０】
すなわち、本実施の形態では、除霜水をそのまま利用せず、一旦庫外の露受け皿１０に排水して機械室８の熱で蒸発させ、第二の排水パイプ２０を上昇する蒸気（蒸留水）を結露板２７に結露させる。そして、結露板２７の結露水を野菜室吹出口２５から吹き出される冷気により気化させて、高湿となった冷気を野菜室４内に循環させる。これにより、野菜室４は高湿となり、野菜等の生鮮食品の鮮度保持を図ることができる。
【００４１】
なお、冷凍室３に吹き出される冷気は、冷凍室ダンパ２９を経た後、冷凍室吹出口２１より冷凍室３に吹き出され、冷凍室戻り口２２より冷却器室１３に戻されるよう構成されている。
【００４２】
次に、冷蔵室ダンパ２８及び冷凍室ダンパ２９は、図４に示す如く動作する。すなわち、圧縮機９がＯＮ，ＯＦＦを繰り返す１サイクル運転中、冷気循環ファン１５は常時運転される。なお、冷気循環ファン１５は、除霜用ヒータ１６に通電して行う除霜運転中は停止させ、各貯蔵室に冷気は循環させない。
【００４３】
また、冷蔵室ダンパ２８は、冷蔵室２の冷却運転中に開き、冷蔵室２及び野菜室４に冷気が循環される。さらに、圧縮機９を停止させ、冷気循環ファン１５を運転した状態でも開状態とし、冷蔵室２及び野菜室４に冷気を循環させる。すなわち、冷却器１４に付着した霜のエネルギーを有効利用して冷気の熱交換を行うことで、高湿の冷気を冷蔵室２そして野菜室４に送ることができる。
【００４４】
冷凍室ダンパ２９は、冷凍室３の冷却運転中に開き、冷蔵室２の冷却運転中及び上記霜による冷蔵室２の冷却運転中には閉じている。
【００４５】
以上の如く、本実施の形態の冷蔵庫には、冷却器１４の運転中に冷却器１４に蓄えられた霜の熱を利用して、冷蔵室２及び野菜室４を冷却する、「霜冷却運転モード」を有する。
【００４６】
次に、図４を参照しながら、冷凍室３，冷蔵庫２及び野菜室４の温度について説明する。
【００４７】
図４において、ａは、冷却器１４の温度変化である。ｂは、冷凍室３の温度変化である。ｃは、冷蔵室２の温度変化である。ｄは、野菜室４の温度変化である。また、区間（Ｂ）は、冷蔵室２の冷却運転中を示す。区間（Ａ）は、冷凍室３の冷却運転中を示す。区間（Ｃ）は、上記霜冷却運転モードを示している。そして、区間（Ｂ），（Ａ），（Ｃ）が１サイクルの運転である。
【００４８】
また、ｅは、図３における排水パイプ１８（Ｅ）の温度変化である。ｆは、図３における結露板２７（Ｆ）の温度変化である。ｇは、図３における第二の桶１９（Ｇ）の温度変化である。
【００４９】
圧縮機９は、区間（Ｂ），（Ａ）の時にＯＮ（運転）し、区間（Ｃ）の時ＯＦＦ（停止）している。冷気循環ファン１５は、区間（Ｂ），（Ａ），（Ｃ）で運転している。
【００５０】
さらに、冷蔵室ダンパ２８は、区間（Ｂ），（Ｃ）で開き、区間（Ａ）では閉じている。また、冷気を冷凍室３に送るための冷凍室ダンパ２９は区間（Ｂ），（Ｃ）で閉じ、区間（Ａ）で開いている。
【００５１】
結露板２７の温度変化（ｆ）は、特に区間（Ｂ）及び区間（Ｃ）のとき、野菜室４の温度変化（ｄ）より低くなる。
【００５２】
従って、排水パイプ１８を上昇する暖気の中に含まれる蒸気（除霜水が蒸発したもの）は、露点に達し、結露板２７に結露する。
【００５３】
結露水は、野菜室吹出口２５から吹き出された冷気によって気化され、野菜室を循環する。換言すると、区間（Ｂ），（Ｃ）の時には高湿の冷気が循環する。そして、野菜室４内に水分が補給されることで、一例として、湿度９５％以上に保つことができる。
【００５４】
区間（Ａ）において、結露板２７の温度が野菜室４の温度より上昇する。このため、結露板２７への結露が少なくなる。
【００５５】
しかし、区間（Ｂ），（Ｃ）で結露した結露水が結露板２７に確保されていることにより、野菜室４は区間（Ｂ），（Ａ），（Ｃ）の１サイクル中、結露水によって高湿化されるものである。
【００５６】
このように、本実施の形態では、野菜室４の高湿化のために、除霜水そのものを用いるのではなく、露受け皿１０に滴下した除霜水を蒸発して得た、いわゆる蒸留水を利用したものである。これにより、露受け皿１０内に除霜水と混在する塵埃等が野菜室４に吹き出されることを抑制でき、衛生面で向上を図ることができる。
【実施例２】
【００５７】
次に図５及び図６を参照しながら、第二の実施形態を説明する。図５は、本発明に係る第二の実施の形態における冷蔵庫の要部拡大図である。図６は、図５における冷蔵庫の要部拡大図である。
【００５８】
図５及び６において、実施例１と同一符号を付したものは、以下に説明するものを除き、実施例１で説明したのと同等の構成であり、説明を省略する。
【００５９】
本実施の形態では、排水パイプ１８に冷却部材３０を備える。また、排水パイプ１８の先端部１８ａは、断熱材３１で覆われる。
【００６０】
冷却部材３０は、金属製であり、排水パイプ１８の桶１７側に設けられている。除霜運転時、除霜用ヒータ１６の熱を、排水パイプ１８の先端部１８ａまで伝導する。これにより、排水パイプ１８内の霜を溶かすことができ、排水パイプ１８の霜詰まりを防止できる。
【００６１】
一方、冷却運転時（冷凍サイクル運転時）、冷却部材３０は冷却器１４から冷却エネルギーを受ける。これにより、冷却部材３０は低温となり、排水パイプ１８内に着霜させる働きをする。すなわち、冷却運転時、排水パイプ１８を上昇する暖気は、排水パイプ１８が霜つまりをしていることで、冷却器室１３への流入が抑制される。
【００６２】
冷却部材３０に霜が付くと、その霜が抵抗となり、野菜室４から排水パイプ１８内を通る暖気量を制限する。従って、結露板２７に結露水が多量に付くこととなる。
【００６３】
また、排水パイプ１８の先端部１８ａは、冷却器１４の熱影響を受け低温度となる。そのため、先端部１８ａを断熱材３１で覆う、これにより、先端部１８ａの結露を抑制し、結露板２７への結露を集中させることができる。断熱材３１は、排水パイプ１８の先端部１８ａ（仕切り壁１２）より突出し、野菜室４に臨んでいる部分を覆うものである。
【００６４】
結露板２７は、以上説明した如く、結露水以外にも塵埃等が付着するおそれがある。しかし、除霜水によって結露板２７に付着した塵埃は流されるため、清潔に保つことができる。さらに、結露板２７には、抗菌処理等を施しておくと良い。これにより、結露板２７は常に濡れた状態であっても、菌の繁殖等を抑制することができる。
【００６５】
さらに、結露板２７への着水量を確保するために、結露板２７を多孔質体等にするか、或いは樹脂板と金属板との組み合わせ等とする構成であってもよい。
【００６６】
かかる結露板２７を有する冷蔵庫において、冷却運転時、第二の排水パイプ２０及び排水パイプ１８を経由して、機械室８から冷却器室１３側に吸い込まれる暖気は、結露板２７に衝突して、大幅に低減される。よって、冷却器室１３の温度上昇は抑制される。この温度上昇は、排水パイプ１８内にある冷却部材３０によっても抑制される。
【００６７】
また、結露板２７には、露受け皿１０で蒸発した除霜水（蒸留水）が結露する。結露した除霜水は、気化して野菜室４を循環する冷気に含まれ、野菜室４の高湿化を図る。
【００６８】
これにより、野菜室４に保存した野菜等からの水分の蒸散が阻止されて、野菜等の生鮮食品の長期保存及び鮮度保持が可能となる。
【００６９】
本実施の形態は、以上説明した如き構成を有するものである。これにより、次の効果が得られる。
【００７０】
第一に、除霜水を冷却器１４下部に設置した樋１７から排水パイプ１８を通って野菜室４内に導き、第二の樋１９に開放する。そして、第二の樋１９から第二の排水パイプ２０を通って機械室８に設置した露受け皿１０に導く。
【００７１】
この構成において、冷却運転（冷凍サイクル運転）が始まると、冷却器室１３に設置した冷気循環ファン１５を運転させ、冷却器１４と熱交換した冷気を冷凍室３に送る。このとき、冷凍室３は負圧となる。これに伴い、機械室８内の暖気は、排水パイプ１８を通して冷却器室１３に吸い込まれる。この暖気の中には、一旦露受け皿１０に排水された除霜水の蒸気を含む。本実施の形態は、この蒸気を野菜室４の高湿化に利用するものである。野菜室４に結露した結露水は、除霜水であるが蒸発した蒸留水となるので、従来の除霜水そのものを野菜室に取り込む構成とは異なり、その成分が相違するため衛生性が向上する。
【００７２】
第二に、野菜室４内に除霜水を導く排水パイプ１８の出口（先端部１８ａ）と第二の樋１９との間に、結露板２７を設ける。そして、結露板２７に機械室８から除霜水の蒸気を当て、野菜室４を高湿状態に保持するものである。よって、第二の排水パイプ２０で野菜室４側に導かれた蒸気は、結露板２７にぶつかり露点温度にまで降下し、結露板２７に結露する。すなわち、結露板２７の結露水を野菜室４の高湿化に利用するものである。
【００７３】
また、機械室８からの暖気中の塵埃等は、結露板２７に付着させて、除霜水とともに排水するものである。
【００７４】
以上より、本実施の形態は、経済的且つ構造的にも有利な野菜室４の高湿化構造を得ることができる。
【００７５】
第三に、結露板２７を排水パイプ１８の出口（先端部１８ａ）と第二の樋１９との間に設けることで、冷蔵庫の冷却運転時、排水パイプ１８を通して外気が冷却器１４下部に吸い込まれるのを抑制する。そして、冷気循環ファン１５を運転することで、冷却器室１３の冷気が冷凍室３に循環され、冷凍室３が負圧状態となる。これに伴い、排水パイプ１８を通して、機械室８内の蒸気を含む暖気が冷凍室３側に流れ込む。この暖気が多量に冷凍室３に流入することは、省エネルギー化に反する。そこで、本実施の形態においては、この流れを結露板２７にて遮断しているので、省エネルギー化を図るとともに、塵埃等を結露板２７で捕らえ、冷却器１４の性能低下を防止するものである。
【００７６】
第四に、冷却器１４下部に設置した樋１７から野菜室４内に除霜水を導く排水パイプ１８内に、冷蔵庫の冷却運転時、霜付きを促進する冷却部材３０を設ける。そして、冷却部材３０を冷却器１４と同等温度に冷却することで、冷蔵庫の冷却運転時、排水パイプ１８を霜で塞ぎ、排水パイプ１８内を通じた野菜室４側からの暖気上昇を防止し、省エネルギー化を図ったものである。なお、排水パイプ１８内の霜は、次回除霜運転時に除霜用ヒータ１６により除霜される。
【００７７】
第五に、排水パイプ１８の先端部１８ａと第二の樋１９との間に設けられた結露板２７を、野菜室吹出口２５の下方に設ける。これにより、結露板２７は、野菜室吹出口２５の吹き出し冷気により冷却され、結露水生成の促進を促すことができる。また、結露板２７に付いた結露水は気化して、効率良く野菜室４の循環冷気に含まれるので、野菜室４全体を高湿化できる。
【００７８】
第六に、冷却器１４下部に設置した樋１７より、野菜室４内に除霜水を導く排水パイプ１８の野菜室４側への突出部（先端部１８ａ）を断熱材３１で覆った構成である。すなわち、野菜室４内で排水パイプ１８が低温となることを抑制し、結露板２７を最も低い温度に保持するようにしたものである。これにより、結露板２７に結露が集中し、効率良く野菜室４の高湿化が図れものである。
【００７９】
以上のように、本実施の形態１及び２は、排水パイプ１８を上昇する除霜水の蒸気を利用して野菜室４内の高湿化を図ると共に、排水パイプ１８を通して暖気が冷却器室１３に入るのを抑制するものである。また、暖気に含まれる塵埃が冷却器室１３に流入することを抑制し、露受け皿１０に排出するようにしたものである。よって、野菜室４を高湿化でき、省エネルギー化を図ることができる。
【符号の説明】
【００８０】
２  冷蔵室
３  冷凍室
４  野菜室
８  機械室
９  圧縮機
１０  露受け皿
１３  冷却器室
１４  冷却器
１７  樋
１８  排水パイプ
１８ａ  先端部
１９  第二の樋
２０  第二の排水パイプ
２５  野菜室吹出口
２７  結露板
３０  冷却部材
３１  断熱材
【図１】
2011007402.tif 000003
【図２】
2011007402.tif 000004
【図３】
2011007402.tif 000005
【図４】
2011007402.tif 000006
【図５】
2011007402.tif 000007
【図６】
2011007402.tif 000008